(57)【要約】      （修正有）【課題】解剖・手術作業者の作業負荷を軽減し、また作業面上の被剖検体から発散する有害物質等に解剖・手術作業者が暴露されるリスクを防止・低減する解剖・手術台を提供する。【解決手段】作業面を有する作業台部２と、設置面７上に設置されかつ作業台部の下方に設けられた台座部９と、作業台部を上下方向に移動させる少なくとも１個の上下移動装置８とを備え、上下移動装置を介して上下方向に移動する作業台部により作業台部と設置面との間の距離を調整し、ほぼ水平状態又は傾斜状態で作業台部の高さが設定される。【選択図】図１
0003166890.tif 000002
【実用新案登録請求の範囲】
【請求項１】
作業面を有する作業台部と、設置面上に設置されかつ作業台部の下方に設けられた台座部と、作業台部を上下方向に移動させる少なくとも１個の上下移動装置とを備え、上下移動装置を介して上下方向に移動する作業台部により作業台部と設置面との間の距離を調整し、作業台部の高さが設定される手術、解剖台。
【請求項２】
作業面を有する作業台部と、設置面上に設置されかつ作業台部の下方に設けられた台座部と、作業台部を上下方向に移動させる少なくとも１個の上下移動装置とを備え、上下移動装置を介して上下方向に移動する作業台部により作業台部と設置面との間の距離をほぼ同じに調整し、ほぼ水平状態で作業台部の高さが設定される手術、解剖台。
【請求項３】
作業面を有する作業台部と、設置面上に設置されかつ作業台部の下方に設けられた台座部と、作業台部を上下方向に移動させる少なくとも１個の上下移動装置とを備え、上下移動装置を介して上下方向に移動する作業台部により作業台部と設置面との間の距離を少なくとも任意の２か所で異に調整し、傾斜状態で作業台部の高さが設定される手術、解剖台。
【請求項４】
作業面を有する作業台部と、設置面上に設置されかつ作業台部の下方に設けられた台座部と、作業台部を上下方向に移動させる少なくとも１個の上下移動装置と、作業台部の周辺部に配置されかつ被剖検体の発散する有害物質を吸引する吸引口を有する空気吸込部とを備え、上下移動装置を介して上下方向に移動する作業台部により作業台部と一体化された空気吸込部を作業台部とともに上下方向に移動し、作業台部の高さが設定される手術、解剖台
【請求項５】
作業面を有する作業台部と、設置面上に設置されかつ作業台部の下方に設けられた台座部と、作業台部を上下方向に移動させる少なくとも１個の上下移動装置と、作業台部の周辺部に配置されかつ被剖検体の発散する有害物質を吸引する吸引口を有する空気吸込部とを備え、上下移動装置を介して上下方向に移動する作業台部により作業台部から分離された空気吸込部と作業台部との上下方向の間隔を調整し、作業台部の高さが設定される手術、解剖台。
【請求項６】
前記手術、作業台が作業台部の揺動防止装置を備える請求項１，２，３，４又は５に記載の手術、解剖台。
【請求項７】
前記手術、作業台の作業台部が前後方向に傾斜する３，４又は５に記載の手術、解剖台。
【考案の詳細な説明】
【技術分野】
【０００１】本考案は、解剖・手術において使用される解剖・手術台に関する。
【背景技術】
【０００２】従来の解剖・手術台はその高さが特定され、手術・解剖作業者の身長や種々の作業姿勢等に十分に適応できない構造であり、手術・解剖作業者に大きな作業負荷がかかることがある。また解剖・手術の際、被剖検体から発散するホルムアルデヒドなどの有害物等（微細切片を含む）に暴露され、手術・解剖作業者の健康管理上、問題があった。
【特許文献】特開２００９−２２６２２２
【考案が解決しようとする課題】
【０００３】このような状況の下、本考案が解決しようとする課題は、解剖・手術の際に解剖・手術作業者の作業負荷を軽減することにある。また解剖・手術作業台で作業面上の被剖検体から発散する有害物質等に解剖・手術作業者が暴露されるリスクを防止・低減することにある。
【課題を解決するための手段】
【０００４】前記課題を解決するため、本考案にかかる手術、解剖台は次のような手段をとる。
すなわち、作業面を有する作業台部と、作業台部の下方に設けられた台座部と、作業台部を上下方向に移動させる少なくとも１個の上下移動装置とを備え、上下移動装置を介して上下方向に移動する作業台部により作業台部と設置面との間の距離を調整し、作業台部の高さが設定される。
【０００５】また作業面を有する作業台部と、設置面上に設置されかつ作業台部の下方に設けられた台座部と、作業台部を上下方向に移動させる少なくとも１個の上下移動装置とを備え、上下移動装置を介して上下方向に移動する作業台部により作業台部と設置面との間の距離をほぼ同じに調整し、ほぼ水平状態で作業台部の高さが設定される。
【０００６】また作業面を有する作業台部と、設置面上に設置されかつ作業台部の下方に設けられた台座部と、作業台部を上下方向に移動させる少なくとも１個の上下移動装置とを備え、上下移動装置を介して上下方向に移動する作業台部により作業台部と設置面との間の距離を少なくとも任意の２か所で異に調整し、傾斜状態で作業台部の高さが設定される。
【０００７】また作業面を有する作業台部と、設置面上に設置されかつ作業台部の下方に設けられた台座部と、作業台部を上下方向に移動させる少なくとも１個の上下移動装置と、作業台部の周辺部に配置されかつ被剖検体の発散する有害物質を吸引する吸引口を有する空気吸込部とを備え、上下移動装置を介して上下方向に移動する作業台部により作業台部と一体化された空気吸込部を作業台部とともに上下方向に移動し、作業台部の高さが設定される。
【０００８】そして作業面を有する作業台部と、設置面上に設置されかつ作業台部の下方に設けられた台座部と、作業台部を上下方向に移動させる少なくとも１個の上下移動装置と、作業台部の周辺部に配置されかつ被剖検体の発散する有害物質を吸引する吸引口を有する空気吸込部とを備え、上下移動装置を介して上下方向に移動する作業台部により作業台部から分離された空気吸込部と作業台部との上下方向の間隔を調整し、作業台部の高さが設定される。
【考案を実施するための最良の形態】
【０００９】本考案を実施するための最良の形態について図面を参照して説明する。解剖台・手術台１において、作業台部２は対向する短辺部３と長辺部４を有する矩形状で、短辺部３と長辺部４に囲まれた作業面５がある。短辺部２と長辺部３は作業面５から立設され、短辺部２と長辺部３の上縁面６は解剖台等１の設置面７（通常は床面、以下同様）とほぼ平行な水平面である。被剖検体等は一方の短辺部側と他方の短辺部側に頭部と足部をそれぞれ向けて作業面５上に載置され（図示せず）、解剖・手術作業者は作業台部の短辺部３又は長辺部４の外側に立って作業をおこなう。【００１０】解剖台等１は上下移動装置８を備え、上下移動装置８を介して作業台部２が上下方向に移動する。上下方向に移動する作業台部２により作業台部２と設置面７との間の上下方向の距離（つまり高さ）を調整し、作業台部２を所定の高さに設定する。上下方向とは解剖台等の設置面７（通常は水平面）に対して垂直方向をいう（以下、同様）。この場合、作業台部２の上下方向の移動により、作業台部２と解剖台の設置面７との距離（つまり作業台部２の高さ、以下同様）をほぼ一定に調整し、作業台部２がほぼ水平状態となるようにする。解剖・手術作業者は自己の身長や作業姿勢等に応じ、設置面７と作業台部２との間隔、（つまり作業台部２の高さ）を設定し、最も作業がしやすい高さで所定の作業を行うことができる。また作業は通常、立った状態で行われるが、作業台部２の高さの調整により椅子などに腰掛けた状態での作業も可能である。【００１１】また作業台部２と設置面７との距離を少なくとも任意の２か所で異になるように調整し、作業台部２が傾斜状態となるようにする。作業台部２の傾斜は、通常、対向する短辺部３、３間の高低差による傾斜である。すなわち一方の短辺部３（図１乃至３において左側、以後これを前方という）を低く、他方の短辺部３（図１乃至３において右側、以後これを後方という）を高くする。低い前方の短辺部３側に頭部を、また高い後方の短辺部３側に足部をそれぞれ向け、前後方向に下降傾斜した作業台部２の作業面５に被剖検体が載置される。同じ被剖検体でも部位により高さ（作業面５と所定部位との間隔）に差があるが、これにより、例えば、頭部、胸部など比較的に高い位置の部位を対象とする作業が容易になる。【００１２】このように作業の対象部位に応じて作業台部２の傾斜状態を調整することができる。
同時に必要に応じて作業台部２の高さも適宜に設定できる。作業台部２の傾斜度は任意である。対向する長辺部４、４間の高低差による傾斜も可能であり、またこれらの傾斜の組み合わせでもよい。なお作業台部の作業面５には部分的な傾斜や凹凸等が存在する（図示せず）が、作業台部２の水平状態・傾斜状態の判定は、作業台部の一定の基準面、例えば、作業面から立設された短辺部３や長辺部４の上縁面６を基準として判断すればよい。【００１３】解剖台・手術台１は吸引口１０を有する空気吸込部１１を備えた構造とすることもできる（図７乃至１０参照）。なお前記の解剖台等と基本構造は同じ部材、構成については同じ符号により説明する。作業面５に載置された被剖検体からはホルムアルデヒド等の有害物や微細切片等（以下、「有害物質」という）が発散するが、この場合、有害物質を含む空気が空気吸込部１１の吸引口１０から吸引される。すなわち、空気吸込部１１は横長のボックス状で内部が中空であり、空気吸込部１１の内側面１２に横長の吸引口１０が形成されている。空気吸込部１１は作業台部２の周辺に配置される。空気吸込部１１の具体例としては、プリーナム・ボックス（ｐｌｅｎｕｍ  ｂｏｘ）がある（特開２００９−２２６２２２参照）。しかし有害物質を吸引する構造であればよく、空気吸込部１１、吸引口１０の形状、大きさ等に限定はない。また周辺部に配置するとは周辺部の全体あるいはその一部に配置することである。図７では長辺部４に沿い一対の空気吸込部１１が対向して配置されているが、作業台部の四周や短辺部に沿って配置してもよい（図示せず）。【００１４】空気吸込部１１を備える構造では、作業台部２と空気吸込部１１との配設関係に２種類ある。すなわち１つは作業台部２と空気吸込部１１が一体化されており、他は作業台部２と空気吸込部１１を一体化しないで、空気吸込部１１と作業台部２が分離されている。まず作業台部２と空気吸込部１１が一体化された構造では、前記のように、上下移動装置８を介して作業台部２の高さ調整されるが、その高さ調整に伴い作業台部２と一体化された空気吸込部１１も同じく上下方向に移動する。ここでも、一体化された作業台部２と空気吸込部１１が水平状態のものと、一体化された作業台部２と空気吸込部１１が傾斜状態のものとがある。いずれにおいても作業台部２の高さ設定後、作業台部２と空気吸込部１１との配置関係は変わらず、空気吸込部１１の果たすべき吸引機能がそのまま維持される。図１０及び１１は、一体化された作業台部２と空気吸込部１１が上下移動装置８を介して移動（但しこの場合は傾斜移動）する状態を説明している。なお作業台部２と空気吸込部１１との一体化は接着、ネジ等の公知の固着、固定手段を用いる。吸引口１０で吸引された空気（有害物質）はさらに吸引ダクト３７を介して空気集合チャンバー３９に導かれるが、ダクト３７は空気吸込部１１の上下移動に対応できるようにフレキシブルな構造、例えば、蛇腹式にする。【００１５】次に、空気吸込部１１と作業台部２とが分離された構造では、上下移動装置８を介して作業台部２の高さが調整されるが、空気吸込部１１と作業台部２は一体で上下移動しないで、作業台部２のみが上下移動をする。図８に示さ���るように、台座部の縦枠３１の上端部にブラケット３６が装着されている。すなわちブラケット３６は下端部が縦枠３１の上端部に挿入され、締め付けネジ３３で縦枠３１に固定され、水平方向の支持部４０が空気吸込部１１を下方から支持し、空気吸込部１１が静止している。
このような静止状態の空気吸込部１１に対して、作業台部２が単独で上下方向に移動する。図７では長辺部４、４の外側に配置された空気吸込部１１の内側面１２に長辺部４が当接しており、作業台部２は空気吸込部１１の内側面１２に沿い上下移動する。
このように、上下移動装置８を介して上下方向に移動する作業台部２により作業台部２から分離された空気吸込部１１と作業台部２との上下方向の間隔、具体的には空気吸込部１１の吸引口１０と作業台部２との上下方向の間隔を調整し、作業台部２の高さが設定される。【００１６】ここでも、静止した空気吸込部１１に対して作業台部２が水平状態のものと、静止した空気吸込部１１に対して作業台部２が傾斜状態のものとがあり、目的や状況に応じて選択することができる。図９は、静止した（固定された）空気吸込部１１に対して、作業台部２が後方（図９の右側）から前方（図９の左側）へと下降傾斜する状態を概念的に示す図である。作業面５に載置された被剖検体は胸部、腹部、足部の作業面５上での高さ（作業面５と被剖検体の所定部位の上面との間隔）がそれぞれ異なり、このため胸部、腹部の高さが障害となって被剖検体の発散する有害物質が吸引口１０から十分に吸引されないことがある。この場合、被剖検体の作業面５からの高さに応じて空気吸込部１１の吸引口１０と作業台部２（具体的には作業面５）との上下方向の間隔を調整する。そこで、作業台部２の頭部側の作業面が低くなるよう作業台部２を前方側に下降する傾斜状態とし、空気吸込部１１の吸引口１０と作業台部２（作業面５）との間隔を調整する。これにより有害物質が各部位の高さに大きく影響を受けることなく、吸引口１０から確実に吸引される。頭部側の作業面を低くするなど、作業台部２を傾斜させることで、被剖検体と作業者の呼吸域との間隔（距離）が長くなり、作業者が有害物質に暴露されるリスクを低減できるとうメリットもある。また静止した空気吸込部１１に対して作業台部２を上下方向に移動し、吸込部１１の吸引口１０と作業台部２との上下方向の間隔を調整することにより、有害物質が吸引口１０から効率よく吸引され、有害物質の拡散が防止される。なお上下方向とは解剖台等の設置面７（通常は水平面）に対して垂直方向をいう。【００１７】さらに静止した空気吸込部１１に対して作業台部２を上下方向に移動し、長辺部の上端面６と空気吸込部（プリーナムボックス）１１の上面部４１をほぼ同じ高さにすることができる。これにより長辺部４の側から被剖検体を作業台部の作業面５に移して載置する作業が容易となる。逆に作業面５に載置された被剖検体を作業台部２から移して下ろす作業も容易である。このような関連作業の遂行が容易となるところから、解剖・手術作業者の作業負荷が低減される。被剖検体の移動後に、作業台部２の上下動により作業台部２を所定の高さに戻すことができるのは勿論である。なお空気吸込部（プリーナムボックス）１１の上面部４１解剖台等１の設置面７とほぼ平行な水平面である。【００１８】手術、解剖台１は作業台部２の揺動防止装置２７を備える。揺動防止装置２７は上下移動装置８に支持される作業台部２の揺動を防止するものである。揺動防止装置２７は台座部の縦枠３１に設けられたガイド２８と作業台部２に設けられた案内棒２９との組み合わせからなり、細長のガイド孔２８に案内棒２９が挿入され、ガイド孔２８内で案内棒２９の移動が可能である。すなわち作業台部２の傾斜に従い案内棒２９がガイド孔２８内を移動する一方、細長のガイド孔２８の内周面と当接してその移動範囲が規制され、作業台部２の不要な揺動が防止される。案内棒２９が細長のガイド孔２８の両端部のいずれか一方に当接するとき、作業台部２の傾斜動運動が停止される。
揺動防止装置２７の構造、配置箇所、数は任意である。空気吸込部１１を備えていない手術、解剖台１（図１，２）では揺動防止装置２７の数が３個、また空気吸込部１１を備えている手術、解剖台１（図７）では揺動防止装置２７の数が２個である。【００１９】作業台部２は台座部９の上方に配置され、作業台部２と台座部９とに介在する上下移動装置８を介して作業台部２が上下方向に移動する。台座部９は設置面（通常は床面）７上に設置される。台座部９は下端部に移動用の脚輪３２を有するが、脚輪３２はなくともよい（図示せず）。上下移動装置８は作業台部２の下方に配置された構造に限定されない。図示の場合、上下移動装置８は機械式ジャッキ装置であるが、電気、油圧、空気圧ジャッキ装置や他の上下移動装置でもよい。ジャッキ装置８は前方の短辺部３側に２個、後方の短辺部３側に１個、配置されている。上下移動装置８の配置数は任意であるが、傾斜状の作業台部では上下移動装置８を通常、複数個とする。前記のように、水平状態の作業台部２では作業台部２と解剖台１の設置面７との距離（つまり作業台部２の高さ）がほぼ一定である。また傾斜状態の作業台部２では作業台部２と設置面７との距離（高さ）が少なくとも任意の２か所で異なる。これらの高さはジャッキ装置８による上下方向の移動で調整される。【００２０】図示のジャッキ装置８はパンタグラフ・ジャッキであり、上部アーム１７を有する上部リンク機構と、下部アーム１８を有する下部リンク機構を備える。スクリューロッド１６の回転操作で上下のリンク機構が起立作動又は倒伏作動を行い、基部１９に対して上端の球状支持部１５が上下動する。パンタグラフ・ジャッキの基部１９は台座部９に設けられた横架材２１に固定され、またパンタグラフ・ジャッキ８上部には支持軸１３が固定部２０で固定される。支持軸１３先端には上端の球状支持部１５が設けられ、作業台部３裏面の受け部材２２の凹状の受け部３４に上端の球状支持部１５が枢着（ピボット）される。受け部３４が球状支持部１５に回動可能に枢支され、作業台部２の傾斜に対して追随できるようになっている。【００２１】スクリューロッド１６の回転の操作は歯車回転機構を介して行われる。まずハンドル１４でシャフト２３を回転させるとともに、シャフト角度変更装置３５（ウオームギヤホイル、ベベルギヤなど）によりシャフト２３の回転を他のシャフト２４の回転に変換し、さらにジャッキの高さ変動（上下移動）に適応しうるユニバーサル・ジョイント２５を介してスクリューロッド１６を回転させる。この場合、歯車回転機構のカバー部２６はスクリューロッド１６の水平方向の移動に対応し、台座部９（上枠）に設けられたレール部３８上を水平方向に滑動する。【００２２】手術、解剖台１は有害物質等のフィルター装置３０を備える。被剖検体の発散する有害物質を含む空気は、下流側に配置されたブロワー（図示せず）を駆動して空気吸込部１１の吸引口１０から吸引され、空気吸込部１１（プリーナム・ボックス）からダクト３５、台座部９に配置された空気集合チャンバー３７、さらにはフィルター装置３０へと送られ、フィルター装置３０で有害物質の除去後、外側に排気される。【００２３】このように作業台部の上下移動により、解剖・手術作業者の身長や作業姿勢、また処理部位、作業等の目的・状況に応じて作業台部の傾斜度を含む高さが設定され、解剖・手術作業者の作業負荷が軽減される。また解剖・手術の際、被剖検体の発散するホルムアルデヒドなどの有害物物質に解剖・手術作業者が暴露されるリスクを防止・低減し、健康管理上の問題が克服される。被剖検体の発散する有害物質を吸い込むのは、解剖・手術作業者の呼吸域が有害物質の拡散域と重なり合うからであるが、作業台部の上下方向への移動（傾斜動を含む）により呼吸域と有害物質の拡散域とが重ならないように両領域の距離を調整し、有害物物質に暴露されるリスクを効果的に防止することができる。
【図面の簡単な説明】
【００２４】
【図１】本考案にかかる解剖台・手術台の斜視図である。
【図２】同解剖台・手術台であって台座部から作業台部を浮かせた状態を示す視図である。
【図３】作業台部の上下方向の移動であって作業台部の前方側への下降傾斜移動を示す概念図である。
【図４】揺動防止装置を示す部分拡大斜視図である。
【図５】上下移動装置（前方側）と歯車駆動機構を示す拡大斜視図である。
【図６】上下移動装置上端の球状の支持部と受け部との枢着状態を示す部分拡大斜視図である。
【図７】本考案にかかる他の構造の解剖台・手術台であって、空気吸込部を備える解剖台・手術台の斜視図である。
【図８】同解剖台・手術台において空気吸込部が台座部に支持固定された状態を示す部分拡大斜視図である。
【図９】同解剖台・手術台において静止した空気吸込部に対し空気吸込部と分離状態の  作業台部の前方側への下降傾斜移動を示す概念図である。
【図１０】同解剖台・手術台において上下移動装置を介し作業台部が水平状態にあること示す説明図である。
【図１１】図１０の作業台部が上下移動装置を介し空気吸込部とともに傾斜移動したことを示す説明図である。
【符号の説明】
【００２５】    １    解剖台・手術台
２    作業台部
３    短辺部
４    長辺部
７    設置面（床面）
８    上下移動装置
９    台座部
１０  吸引口
１１  空気吸込部
２１  横架材
２２  受け部材
２７  揺動防止装置
３１  縦枠
３４  受け部
３６  ブラケット
４０  水平方向の支持部
４１  プリーナムボックスの上面部
【図１】
0003166890.tif 000003
【図２】
0003166890.tif 000004
【図３】
0003166890.tif 000005
【図４】
0003166890.tif 000006
【図５】
0003166890.tif 000007
【図６】
0003166890.tif 000008
【図７】
0003166890.tif 000009
【図８】
0003166890.tif 000010
【図９】
0003166890.tif 000011
【図１０】
0003166890.tif 000012
【図１１】
0003166890.tif 000013
【手続補正書】
【提出日】平成22年12月30日(2010.12.30)
【手続補正１】
【補正対象書類名】実用新案登録請求の範囲
【補正対象項目名】請求項２
【補正方法】変更
【補正の内容】
【請求項２】
作業面を有する作業台部と、設置面上に設置されかつ作業台部の下方に設けられた台座部と、作業台部を上下方向に移動させる少なくとも１個の上下移動装置とを備え、上下移動装置を介して上下方向に移動する作業台部により作業台部と設置面との間の距離をほぼ一定に調整し、ほぼ水平状態で作業台部の高さが設定される手術、解剖台。
【手続補正２】
【補正対象書類名】明細書
【補正対象項目名】０００５
【補正方法】変更
【補正の内容】
【０００５】  また作業面を有する作業台部と、設置面上に設置されかつ作業台部の下方に設けられた台座部と、作業台部を上下方向に移動させる少なくとも１個の上下移動装置とを備え、上下移動装置を介して上下方向に移動する作業台部により作業台部と設置面との間の距離をほぼ一定に調整し、ほぼ水平状態で作業台部の高さが設定される。